(57)【要約】【課題】表示装置による画像の観察のみならず、プロジェクタによる表示装置よりも大画面の画像観察を使い勝手良く手軽に行うことができる構成を有する表示装置付きプロジェクタを提供する。【解決手段】第１の画像を表示する表示装置本体３０と、スクリーン８０に投射光としての第２の画像を投射するプロジェクタ本体１１００とが同一の機器本体１００ｈに設けられた表示装置付きプロジェクタ１００であって、表示装置本体３０に、プロジェクタ本体１１００からの投射光を反射する反射部材１５０が設けられていることを特徴とする。【選択図】図２
2008233599.tif 000002
【特許請求の範囲】
【請求項１】
第１の画像を表示する表示装置本体と、被投射面に投射光として第２の画像を投射するプロジェクタ本体とが同一の機器本体に設けられた表示装置付きプロジェクタであって、
前記表示装置本体に、前記プロジェクタ本体からの前記投射光を前記被投射面に向かって反射する反射部材が設けられていることを特徴とする表示装置付きプロジェクタ。
【請求項２】
前記反射部材は、前記表示装置本体における表示面と反対側の面に設けられていることを特徴とする請求項１に記載の表示装置付きプロジェクタ。
【請求項３】
前記機器本体は、前記プロジェクタ本体が収容される収容部と、該収容部の上部に設けられた前記表示装置本体を支持する支持部材とを有しており、
前記支持部材により、前記表示装置本体は、前記プロジェクタ本体からの前記第２の画像の投射方向に対し、前記表示面と反対側の面が任意の角度に設定自在となるよう回動自在に支持されていることを特徴とする請求項１または２に記載の表示装置付きプロジェクタ。
【請求項４】
前記支持部材により、前記表示装置本体は、前記収容部に対し上下動自在に支持されていることを特徴とする請求項３に記載の表示装置付きプロジェクタ。
【請求項５】
前記機器本体に、前記表示装置本体の前記表示面に前記第１の画像を表示させるか、前記被投射面に前記プロジェクタ本体から投射された前記第２の画像を表示させるか、前記表示面及び前記被投射面に、前記第１の画像及び前記第２の画像を表示させるかを切り換える表示切換手段が設けられていることを特徴とする請求項１〜４のいずれか１項に記載の表示装置付きプロジェクタ。
【請求項６】
前記第１の画像と前記第２の画像とは、同一画像であることを特徴とする請求項１〜５のいずれか１項に記載の表示装置付きプロジェクタ。
【請求項７】
請求項１〜６のいずれか１項に記載の表示装置付きプロジェクタと、
前記表示装置本体または前記プロジェクタ本体に表示の指示入力を行う入力手段と、
を具備したことを特徴とする電子機器。
【請求項８】
前記入力手段は、前記表示装置本体に設けられていることを特徴とする請求項７に記載の電子機器。
【発明の詳細な説明】
【技術分野】
【０００１】
本発明は、第１の画像を表示する表示装置本体と、被投射面に第２の画像を投射するプロジェクタ本体とが同一の機器本体に設けられた表示装置付きプロジェクタ及び電子機器に関する。
【背景技術】
【０００２】
テレビジョン等の直視型の表示装置は周知である。直視型の表示装置としては、液晶ディスプレイ、プラズマディスプレイ等を具備する表示装置が周知である。また、リアプロジェクション方式で画像を表示するリアプロジェクタ等の表示装置も周知であり、該リアプロジェクタは、特許文献１に開示されている。
【０００３】
特許文献１に開示されたリアプロジェクタは、筐体内に設けられたプロジェクタから投射された画像を、筐体内に設けられたミラーで反射し、筐体に固定されたスクリーンパネルに到達させて、スクリーンパネルに到達された画像を、観察者に観察させる構成を有している。
【０００４】
また、投射した画像をスクリーン等に表示させることにより、上述した表示装置よりも大画面に画像を表示することができるプロジェクタ等の投射型の表示装置も周知であり、例えば特許文献２に開示されている。
【０００５】
特許文献２に開示されたプロジェクションテレビジョン装置は、光源からの投写光を、複数枚のミラーによって、ＲＧＢの３原色に対応する光成分Ｒ、Ｇ、Ｂに分け、該光成分を、各色に対応する各液晶表示装置に各々導いた後、各液晶表示装置にて各々変調した３原色に対応する光成分を、プリズムにて再度合成し、投射レンズを介してスクリーンに投射することにより、観察者に、スクリーンに到達された画像を観察させる構成を有している。
【特許文献１】特開２００４−２８７２０７号公報
【特許文献２】特開２００６−３４９８６６号公報
【発明の開示】
【発明が解決しようとする課題】
【０００６】
ところで、テレビジョン等の表示装置は、観察機会が多いことから、ユーザは、観察の有無に関わらず、通常、家屋内に設置している。プロジェクタも、専用部屋を設けて家屋内に設置する場合もあるが、通常は、限られた家屋内のスペースを有効に利用するため、プロジェクタは、ケース等に格納し、使用の際のみ、使用場所まで持ち運んでセットし、使用後は再度ケース等に格納して用いるのが一般的である。
【０００７】
しかしながら、プロジェクタを使用する度に、セット、格納するのは、ユーザにとって、大変煩雑であるといった事情がある。また、ユーザは、プロジェクタによる大画面の観察を行うには、テレビジョン等の表示装置の他に、プロジェクタを別途購入しなければならず経済的な負担が大きい。
【０００８】
本発明は上記事情に着目してなされたものであり、表示装置による画像の観察のみならず、プロジェクタによる表示装置よりも大画面の画像観察を使い勝手良く手軽に行うことができる構成を有する表示装置付きプロジェクタ及び電子機器を提供することを目的とする。
【課題を解決するための手段】
【０００９】
上記目的を達成するために本発明に係る表示装置付きプロジェクタは、第１の画像を表示する表示装置本体と、被投射面に投射光として第２の画像を投射するプロジェクタ本体とが同一の機器本体に設けられた表示装置付きプロジェクタであって、前記表示装置本体に、前記プロジェクタ本体からの前記投射光を前記被投射面に向かって反射する反射部材が設けられていることを特徴とする。
【００１０】
本発明によれば、１つの機器本体が、直視型の表示装置とプロジェクタとを備えていることから、１つの機器本体のみで、使用用途に応じて、画面サイズを変更して表示することができる表示装置付きプロジェクタを提供することができる。よって、直視型の表示装置よりも画面サイズの大きな画像を見るため、プロジェクタを使用の都度、持ち運んだり格納したりしなくとも良くなるばかりか、表示装置とプロジェクタとを接続する手間がなくなる。また、直視型の表示装置の他に、プロジェクタを別途購入しなくとも良くなる。以上から、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００１１】
また、前記反射部材は、前記表示装置本体における表示面と反対側の面に設けられていることを特徴とする。
【００１２】
本発明によれば、プロジェクタから投射された第２の画像を、表示装置の表示面と反対側の面で反射させて、被投射面に表示させる構成を有していることにより、簡単な構成にて、被投射面に歪みのない第２の画像を確実に表示することができる。よって、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００１３】
さらに、前記機器本体は、前記プロジェクタ本体が収容される収容部と、該収容部の上部に設けられた前記表示装置本体を支持する支持部材とを有しており、前記支持部材により、前記表示装置本体は、前記プロジェクタ本体からの前記第２の画像の投射方向に対し、前記表示面と反対側の面が任意の角度に設定自在となるよう回動自在に支持されていることを特徴とする。
【００１４】
本発明によれば、表示装置本体を回動させるのみで、表示装置の表示面と反対側の面におけるプロジェクタから投射された第２の画像の反射角度を調整することができることから、簡単な構成にて、被投射面に対し、観察者の所望の位置に、第２の画像を表示することができる。よって、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００１５】
また、前記支持部材により、前記表示装置本体は、前記収容部に対し上下動自在に支持されていることを特徴とする。
【００１６】
本発明によれば、表示装置本体が上下動自在な構成により、観察者が被投射面にプロジェクタ本体から投射された第２の画像を観察する際、表示装置によって、観察者による第２の画像の観察が遮られてしまうことを防止することができる。よって、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００１７】
さらに、前記機器本体に、前記表示装置本体の前記表示面に前記第１の画像を表示させるか、前記被投射面に前記プロジェクタ本体から投射された前記第２の画像を表示させるか、前記表示面及び前記被投射面に、前記第１の画像及び前記第２の画像を表示させるかを切り換える表示切換手段が設けられていることを特徴とする。
【００１８】
本発明によれば、観察者は、表示装置の表示面のみ、または被投射面のみ、若しくは表示装置の表示面及び被投射面における画像表示を、切り換えの手間を要さずに、容易に選択することができる。よって、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００１９】
また、前記第１の画像と前記第２の画像とは、同一画像であることを特徴とする。
【００２０】
本発明によれば、１つの機器本体のみで、表示装置の表示面及び被投射面に同一画像を表示することができることから、表示装置の観察者は、表示装置の表示面の画像を見ながら、被投射面に表示された画像の内容を、第３者に説明することができるとともに、表示画面とスクリーンとで、異なる映像を観察することができる。よって、直視型の表示装置による画像の観察のみならず、プロジェクタによる表示装置よりも大画面の画像観察を使い勝手良く手軽に行うことができる構成を有する表示装置付きプロジェクタを提供することができるといった効果を有する。
【００２１】
本発明に係る電子機器は、請求項１〜６のいずれか１項に記載の表示装置付きプロジェクタと、前記表示装置本体または前記プロジェクタ本体に表示の指示入力を行う入力手段と、を具備したことを特徴とする。
【００２２】
本発明によれば、１つの機器本体が、直視型の表示装置とプロジェクタとを備えるとともに入力手段を具備している、即ち、表示画面を具備するノートパソコン等の小型の機器がプロジェクタを備えていることから、小型機器１台のみで、使用用途に応じて、画面サイズを選択して表示することができる。よって、小型機器の表示画面よりも画面サイズの大きな画像を見るため、プロジェクタを使用の都度、持ち運んだり格納したりしなくとも良くなるばかりか、小型の電子機器とプロジェクタとを接続する手間がなくなる。また、ノートパソコン等の小型機器の他に、プロジェクタを別途購入しなくとも良くなる。以上から、小型機器の表示画面による画像の観察のみならず、プロジェクタによる小型機器よりも大画面の画像観察を使い勝手良く手軽に行うことができる構成を有する電子機器を提供することができるといった効果を有する。
【００２３】
また、前記入力手段は、前記表示装置本体に設けられていることを特徴とする。
【００２４】
本発明によれば、キーボードやノートパソコン等の小型機器の表示画面におけるタッチパネルにより、小型機器の表示画面への表示や、被投射面への表示に対する指示入力を、入力手段を別途用意しなくとも、キーボードまたはタッチパネルを用いて容易に行うことができる。よって、小型機器の表示画面による画像の観察のみならず、プロジェクタによる小型機器よりも大画面の画像観察を使い勝手良く手軽に行うことができる構成を有する電子機器を提供することができるといった効果を有する。
【発明を実施するための最良の形態】
【００２５】
以下、図面を参照にして本発明の実施の形態を説明する。
【００２６】
図１は、本実施の形態を示す表示装置付きプロジェクタを示す図、図２は、図１の表示装置本体が回動され、プロジェクタ本体が駆動された状態を示す図、図３は、図１のプロジェクタ本体の構成を示す図である。
【００２７】
また、図４は、図３のプロジェクタ本体に用いられる液晶装置の平面図、図５は、図４中のV-V線に沿って切断した液晶装置の断面図、図６は、図１の表示装置本体の構成の概略を示す図、図７は、図６の表示装置本体に設けられた液晶装置を示す断面図である。
【００２８】
図１に示すように、表示装置付きプロジェクタ１００は、プロジェクタ本体１１００と、例えばテレビジョン等の直射型の表示装置本体３０とにより主要部が構成された機器本体１００ｈを具備している。
【００２９】
機器本体１００ｈは、プロジェクタ本体１１００が収容される収容部６１と、該収容部６１の上部に設けられた表示装置本体３０を支持する支持部材６０とにより主要部が構成されている。
【００３０】
収容部６１内において、プロジェクタ本体１１００は、図２に示すように、投射光としての第２の画像が、上方、即ち表示装置本体３０側に投射されるよう配置されている。
【００３１】
また、収容部６１内に、プロジェクタ本体１１００の他、図示しないテレビチューナや、ＨＤＤ−ＤＶＤ装置、地上波デジタル・サラウンドチューナ等が設けられている。さらに収容部６１内に、表示装置本体３０内の後述する液晶装置１’及びバックライト３５（いずれも図６参照）を駆動して、表示装置本体３０の表示画面３０ｆに、第１の画像を表示させるか、図２に示すようにプロジェクタ本体１１００を駆動して、被投射面であるスクリーン８０に、プロジェクタ本体１１００から投射した第２の画像を表示させるか、表示画面３０ｆ及びスクリーン８０に、第１の画像及び第２の画像を表示させるかを切り換える表示切換手段７０が設けられている。
【００３２】
また、プロジェクタ本体１１００内に、該プロジェクタ本体１１００から投射される第２の画像に対し、既知の台形補正処理を行う図示しない台形補正手段が設けられている。
【００３３】
尚、第１の画像及び第２の画像は、上述した各種チューナやＨＤＤ−ＤＶＤ装置等によって生成された画像であり、第１の画像と第２の画像とは、同一であっても異なっていても構わない。即ち、表示画面３０ｆとスクリーン８０とに表示される画像は、同じであっても異なっていても構わない。
【００３４】
支持部材６０は、図２に示すように、表示装置本体３０を回動自在に軸支している。詳しくは、支持部材６０は、プロジェクタ本体１１００による第２の画像の投射方向Ｐに対し、表示装置本体３０の表示画面３０ｆと反対側の面（以下、裏面と称す）３０ｒが、任意の角度θに設定自在となるよう、表示装置本体３０を回動自在に軸支している。また、支持部材６０は、図１に示すように、収容部６１に対して上下方向に移動自在に、表示装置本体３０を支持している。
【００３５】
表示装置本体３０の裏面３０ｒ全体に、反射部材１５０が設けられている。反射部材１５０は、図２に示すように、支持部材６０により、表示装置本体３０が回動によって任意の角度に設定されるとともに、プロジェクタ本体１１００から第２の画像が投射された場合において、該第２の画像を、スクリーン８０に向かって反射するものである。
【００３６】
よって、回動による表示装置本体３０の角度を可変することにより、反射部材１５０による反射角度が可変できることから、第２の画像を、スクリーン８０における所望の位置に調整して表示させることができる。
【００３７】
尚、プロジェクタ本体１１００から投射された第２の画像を、反射部材１５０による反射を利用して、スクリーン８０に表示させるのは、プロジェクタ本体１１００から、直接スクリーン８０に投射すると、クリーン８０に対して第２の画像を斜め下方から上方に煽るように投射しなければならないため、上述した台形補正手段を用いたとしても、スクリーン８０に表示される第２の画像が歪んでしまうためである。
【００３８】
さらには、反射部材１５０による反射を用いてスクリーン８０に第２の画像を表示させるには、図２に示すように、表示装置本体３０を回動させる必要が生じることから、スクリーン８０を観察する観察者２００の視界を、表示装置本体３０が遮ってしまうことを防止するためである。
【００３９】
次に、収容部６１内に設けられたプロジェクタ本体１１００の構成の一例を、図３を用いて説明する。
【００４０】
図３に示すように、プロジェクタ本体１１００は、図４、図５に示す液晶装置１を、各々ＲＧＢ用のライトバルブとして、例えば３つ（１Ｒ，１Ｇ，１Ｂ）具備している。
【００４１】
プロジェクタ本体１１００では、メタルハライドランプ等の白色光源のランプユニット１１０２から投写光が発せされると、３枚のミラー１１０６及び２枚のダイクロイックミラー１１０８によって、ＲＧＢの３原色に対応する光成分Ｒ、Ｇ、Ｂに分けられ、各色に対応するライトバルブ１Ｒ，１Ｇ，１Ｂに各々導かれる。
【００４２】
この際、特にＢ光は、長い光路による光損失を防ぐため、入射レンズ１１２２、リレーレンズ１１２３及び出射レンズ１１２４からなるリレーレンズ系１１２１を介して導かれる。
【００４３】
そして、ライトバルブ１Ｒ，１Ｇ，１Ｂにより各々変調された３原色に対応する光成分は、ダイクロイックプリズム１１１２により再度合成された後、投写レンズ１１１４を介してカラー画像となった第２の画像として投写される。
【００４４】
次に、プロジェクタ本体１１００に設けられた液晶装置１の構成の一例を図４、図５を用いて説明する。尚、液晶装置１は、透過型の液晶装置を例に挙げて説明する。
【００４５】
図４、図５に示すように、液晶装置１は、例えば、石英基板やガラス基板等を用いたＴＦＴ基板１０と、該ＴＦＴ基板１０に対向配置される、例えば石英基板やガラス基板等を用いた対向基板２０との間に、液晶５０が介在されて構成される。対向配置されたＴＦＴ基板１０と対向基板２０とは、シール材５２によって貼り合わされている。
【００４６】
ＴＦＴ基板１０の液晶５０と接する領域に、液晶装置１の表示領域４０を構成するＴＦＴ基板１０の表示領域１０ｈが構成されている。また、ＴＦＴ基板１０の表示領域１０ｈに、画素を構成するとともに、後述する対向電極２１とともに液晶５０に駆動電圧を印加する、透明電極、例えばＩＴＯ膜から構成された画素電極９が平面視した状態でマトリクス状に配置されている。
【００４７】
また、対向基板２０の液晶５０と接する領域に、液晶５０に画素電極９とともに駆動電圧を印加する透明電極、例えばＩＴＯ膜から構成された対向電極２１が全面に亘って設けられており、対向電極２１の表示領域１０ｈに対向する領域に、液晶装置１の表示領域４０を構成する対向基板２０の表示領域２０ｈが構成されている。
【００４８】
ＴＦＴ基板１０の画素電極９上に、ラビング処理が施された配向膜１６が設けられており、また、対向基板２０上の全面に渡って形成された対向電極２１上にも、ラビング処理が施された配向膜２６が設けられている。尚、配向膜１６、２６は、ラビング処理が不要な無機配向膜であっても構わない。
【００４９】
また、ＴＦＴ基板１０の表示領域１０ｈにおいては、複数本の走査線と複数本のデータ線（いずれも図示されず）とが交差するように配線され、走査線とデータ線とで区画された領域に画素電極９がマトリクス状に配置される。そして、走査線とデータ線との各交差部分に対応して図示しない薄膜トランジスタ（ＴＦＴ）が設けられ、このＴＦＴ毎に画素電極９が電気的に接続されている。
【００５０】
ＴＦＴは走査線のＯＮ信号によってオンとなり、これにより、データ線に供給された画像信号が画素電極９に供給される。この画素電極９と対向基板２０に設けられた対向電極２１との間の電圧が液晶５０に印加される。
【００５１】
対向基板２０に、液晶装置１の表示領域４０を規定する額縁としての遮光膜５３が設けられている。
【００５２】
液晶５０がＴＦＴ基板１０と対向基板２０との間に、既知の液晶注入方式で注入される場合、シール材５２は、該シール材５２の１辺の一部において欠落して塗布されている。
【００５３】
シール材５２の欠落した箇所は、該欠落した箇所から貼り合わされたＴＦＴ基板１０と対向基板２０との間において、シール材５２により囲まれた領域に液晶５０を注入するための切り欠きである液晶注入口１０８を構成している。液晶注入口１０８は、液晶注入後、封止剤１０９によって封止される。
【００５４】
シール材５２の外側の領域に、ＴＦＴ基板１０のデータ線に画像信号を所定のタイミングで供給して該データ線を駆動するドライバであるデータ線駆動回路１０１と外部回路との接続のための外部接続端子１０２とが、ＴＦＴ基板１０の液晶注入口１０８が位置する１辺に沿って設けられている。尚、外部接続端子１０２は、対向基板２０に設けられていても構わない。
【００５５】
外部接続端子１０２に、液晶装置１を、プロジェクタ本体１１００等の電子機器と電気的に接続する、図示しない特定の長さを有する柔軟なフレキシブル配線基板（Flexible Printed Circuits、以下ＦＰＣと称す）の一端が接続される。ＦＰＣの他端がプロジェクタ本体１１００に接続されることにより、液晶装置１とプロジェクタ本体１１００とは電気的に接続される。
【００５６】
外部接続端子１０２が設けられたＴＦＴ基板１０の１辺に隣接する２辺に沿って、ＴＦＴ基板１０の走査線及びゲート電極に、走査信号を所定のタイミングで供給することにより、ゲート電極を駆動するドライバである走査線駆動回路１０３、１０４が設けられている。走査線駆動回路１０３、１０４は、シール材５２の内側の遮光膜５３に対向する位置において、ＴＦＴ基板１０上に形成されている。
【００５７】
また、ＴＦＴ基板１０上に、データ線駆動回路１０１、走査線駆動回路１０３、１０４、外部接続端子１０２及び上下導通端子１０７を接続する配線１０５が、遮光膜５３の３辺に対向して設けられている。
【００５８】
上下導通端子１０７は、シール材５２のコーナー部の４箇所のＴＦＴ基板１０上に形成されている。そして、ＴＦＴ基板１０と対向基板２０相互間に、下端が上下導通端子１０７に接触し上端が対向電極２１に接触する上下導通材１０６が設けられており、該上下導通材１０６によって、ＴＦＴ基板１０と対向基板２０との間で電気的な導通がとられている。
【００５９】
次に、表示装置本体３０の構成を、図６、図７を用いて説明する。図６に示すように、表示装置本体３０内に、バックライト３５と液晶装置１’とが設けられている。液晶装置１’は、上述した図４、図５に示した液晶装置１と略同様の構成を有しているため、詳しい説明は省略するが、対向基板２０に、既知のカラーフィルタ２８が設けられている点が、液晶装置１に対して異なる。
【００６０】
図７に示すように、液晶装置１’の対向基板２０上に、カラーフィルタ２８が設けられており、カラーフィルタ２８上に、対向電極２１が設けられている。カラーフィルタ２８は、液晶装置１’の対向基板２０の表示領域２０ｈにおける各画素に対し、三原色であるＲ、Ｇ、Ｂを１組としてそれぞれ形成されたものであり、表示領域２０ｈにおいて、平面視した状態で格子状に設けられている。
【００６１】
以上のように構成された液晶装置１’に対し画像信号を供給し、ＴＦＴ基板１０側から、バックライト３５により光を照射することにより、観察者２００は、対向基板２０側から、カラーフィルタ２８によりカラー画像となった第１の画像を観察することができる。
【００６２】
次に、このように構成された表示装置付きプロジェクタ１００の作用について説明する。
【００６３】
先ず、表示装置本体３０を用いて第１の画像を観察するときは、表示装置付きプロジェクタ１００の図示しない電源スイッチをオンした後、表示装置本体３０の表示画面３０ｆへの画像表示を選択すると、表示切換手段７０は、液晶装置１’及びバックライト３５を駆動するよう切り換える。尚、この際、プロジェクタ本体１１００は、駆動していない。
【００６４】
その結果、表示装置本体３０の表示画面３０ｆに、第１の画像が表示され、図１に示すように、観察者２００は、表示画面３０ｆに表示された第１の画像を観察することができる。尚、表示装置本体３０における画像表示は、観察者２００が１人で個人的な画像を観察したいときに特に有用である。
【００６５】
次いで、プロジェクタ本体１１００を用いて、スクリーン８０から大画面の第２の画像を観察するときは、表示装置付きプロジェクタ１００の図示しない電源スイッチをオンして、プロジェクタ本体１１００からの投射による表示を選択すると、表示切換手段７０は、プロジェクタ本体１１００を駆動するよう切り換える。尚、この際、表示装置本体３０は、駆動していない。その結果、プロジェクタ本体１１００から第２の画像が投射される。
【００６６】
その後、表示装置本体３０を設定された位置まで回動させる。このことにより、プロジェクタ本体１１００から投射された第２の画像は、表示装置本体３０の裏面３０ｒに設けられた反射部材１５０により、スクリーン８０に反射され、スクリーン８０の所望の位置に投射される。
【００６７】
その結果、図２に示すように、観察者２００は、スクリーン８０に表示された第２の画像を観察することができる。尚、スクリーン８０における画像表示は、観察者２００が、スクリーン８０に表示された臨場感溢れる大画面の第２の画像を楽しみたいときや、図２に示すように、観察者２００が複数人で、スポーツや映画等を楽しみたいときに特に有効である。
【００６８】
また、スクリーン８０に第２の画像を表示する際、表示装置本体３０は回動されているとともに、表示装置本体３０は、支持部材６０により上下動自在なことから、表示装置本体３０の回動位置及び上下方向における位置を調整することにより、観察者２００がスクリーン８０に表示された第２の画像を観察する際、表示装置本体３０によって観察者２００の視界が妨げられることが防止される。即ち、観察者２００は、良好な視界を以てスクリーン８０に表示された第２の画像を観察することができる。
【００６９】
さらには、表示切換手段７０により、プロジェクタ本体１１００及び表示装置本体３０双方が駆動するよう切り換えて、スクリーン８０に第２の画像を表示するとともに、表示装置本体３０の表示画面３０ｆに第１の画像を表示しても構わない。尚、第１の画像と第２の画像とは、同じ画像であっても違う画像であってもどちらであっても構わない。
【００７０】
このように、本実施の形態においては、表示装置付きプロジェクタ１００は、１つの機器本体１００ｈに対し、プロジェクタ本体１１００と表示装置本体３０とが設けられており、プロジェクタ本体１１００から投射された第２の画像を観察する際は、投射された第２の画像を、表示装置本体３０の裏面３０ｒに設けられた反射部材１５０によりスクリーン８０に反射させて、スクリーン８０に表示させると示した。
【００７１】
このことによれば、１つの機器本体１００ｈが、表示装置本体３０とプロジェクタ本体１１００とを備えていることから、１つの機器本体１００ｈのみで、使用用途に応じて、画面サイズを変更して表示することができる表示装置付きプロジェクタ１００を提供することができる。
【００７２】
よって、表示装置に表示される画像よりも画面サイズの大きな画像を見るため、プロジェクタを使用の都度、持ち運んだり格納したりしなくとも良くなるばかりか、表示装置とプロジェクタとを接続する手間がなくなる。また、表示装置の他に、プロジェクタを別途購入しなくとも良くなる。
【００７３】
また、プロジェクタ本体１１００から投射した第２の画像を、スクリーン８０に投射する際、表示装置本体３０の裏面３０ｒに設けられた反射部材１５０により反射させて投射することにより、スクリーン８０に歪みのない第２の画像を確実に表示することができる。
【００７４】
さらには、表示装置本体３０は、支持部材６０により、第２の画像の投射方向Ｐに対し、裏面３０ｒが任意の角度に設定自在となるよう回動自在に軸支されていると示した。
【００７５】
このことによれば、表示装置本体３０を回動させるのみで、表示装置本体３０の裏面３０ｒの反射部材１５０におけるプロジェクタ本体１１００から投射された第２の画像の反射角度を調整することができることから、簡単な構成にて、スクリーン８０に対し、観察者２００の所望の位置に、第２の画像を表示することができるとともに、スクリーン８０を観察する観察者２００の視界を、表示装置本体３０によって遮ってしまうことを防止することができる。
【００７６】
また、支持部材６０により、表示装置本体３０が収容部６１に対して上下動自在であることから、観察者２００がスクリーン８０にプロジェクタ本体１１００から投射された第２の画像を観察する際、表示装置本体３０によって、観察者による第２の画像の観察が遮られてしまうことを、表示装置本体３０を収容部６１側に下げることで防止することができる。
【００７７】
さらには、表示切換手段７０は、表示装置本体３０の表示画面３０ｆへの表示と、スクリーン８０への表示と、表示画面３０ｆ及びスクリーン８０への表示とを切り換えると示した。
【００７８】
このことによれば、観察者２００は、表示画面３０ｆのみ、またはスクリーン８０のみ、若しくは表示画面３０ｆ及びスクリーン８０における画像表示を、切り換えの手間を要さずに、容易に選択することができる。
【００７９】
また、本実施の形態においては、表示画面３０ｆ及びスクリーン８０に、同一画像または異なる画像が表示可能であると示した。
【００８０】
このことによれば、１つの機器本体１００ｈのみで、表示画面３０ｆ及びスクリーン８０に同一画像を表示することができることから、表示装置本体３０の観察者２００は、同一画像の場合、表示画面３０ｆの画像を見ながら、スクリーン８０に表示された画像の内容を、第３者に説明することができるとともに、違う画像の場合、表示画面３０ｆとスクリーン８０とで、異なる映像を観察することができる。
【００８１】
以上から、表示装置本体３０による画像の観察のみならず、プロジェクタ本体１１００を用いた表示装置本体３０よりも大画面の画像観察を、使い勝手良く手軽に行うことができる構成を有する表示装置付きプロジェクタ１００を提供することができる。
【００８２】
尚、以下、変形例を、図８を用いて示す。図８は、図１の表示装置本体の裏面に設ける反射部材の変形例を示す図である。
【００８３】
本実施の形態においては、プロジェクタ本体１１００から投射された第２の画像を反射する反射部材１５０は、表示装置本体３０の裏面３０ｒ全体に設けられていると示した。これに限らず、図８に示すように、反射部材２５０が表示装置本体３０の裏面３０ｒに対し、設定角度を有して裏面３０ｒから突出するように設けられていても構わない。
【００８４】
この場合、反射部材２５０は、プロジェクタ本体１１００から投射された第２の画像が反射によりスクリーン８０に投射される角度に突設されている。尚、反射部材２５０は、裏面３０ｒに対し、取り付け角度が可変自在となるよう設けられていても構わない。
【００８５】
このような構成によれば、表示装置本体３０を回動させなくとも、プロジェクタ本体１１００から投射された第２の画像を、スクリーン８０に投射することができる。
【００８６】
また、図９を用いて別の変形例を示す。図９は、表示装置付きプロジェクタをノートパソコンに適用した変形例を示す図である。
【００８７】
図９に示すように、本実施の形態における表示装置付きプロジェクタ１００を、小型の電子機器、例えばノートパソコンに適用しても構わない。
【００８８】
ノートパソコン３００の機器本体３００ｈは、本実施の形態同様、プロジェクタ本体１１００と、表示装置本体３０とを具備するとともに、入力手段であるキーボード９０を具備している。尚、入力手段としては、キーボード９０に限らず、表示装置本体３０の表示画面３０ｆ上に設けたタッチパネル１９０等であっても構わない。
【００８９】
また、その他の表示画面３０ｆに第１の画像を表示させる構成や、スクリーン８０に第２の画像を表示させる構成は、上述した本実施の形態の構成と同様である。
【００９０】
このように、本実施の形態の表示装置付きプロジェクタ１００を、ノートパソコン３００に適用すれば、ノートパソコン３００の１台のみで、使用用途に応じて、画面サイズを選択して表示することができる。
【００９１】
よって、ノートパソコン３００の表示画面よりも画面サイズの大きな画像を見るため、プロジェクタ本体１１００を使用の都度、持ち運んだり格納したりしなくとも良くなるばかりか、ノートパソコン３００とプロジェクタ本体１１００とを接続する手間がなくなる。また、ノートパソコン３００の他に、プロジェクタ本体１１００を別途購入しなくとも良くなる。
【００９２】
また、機器本体３００ｈは、キーボード９０やタッチパネル１９０等の入力手段を具備していることにより、ノートパソコン３００のキーボード９０や、表示画面におけるタッチパネル１９０により、ノートパソコン３００の表示画面３０ｆへの表示切換指示や、スクリーン８０への表示切換指示、または表示画面３０ｆ及びスクリーン８０への入力指示等を行うことができる。
【００９３】
以上から、ノートパソコン３００の表示画面による画像の観察のみならず、プロジェクタ本体１１００によるノートパソコン３００よりも大画面の画像観察を使い勝手良く手軽に行うことができる構成を有する小型の電子機器を提供することができる。
【００９４】
尚、図９においては、小型の電子機器は、ノートパソコン３００を例に挙げて示したが、これに限らず、直視型の表示装置を具備するもの、例えばポータブルＤＶＤや、電子辞書等であっても本実施の形態が適用可能であるということは勿論である。
【００９５】
また、本実施の形態においては、プロジェクタ本体１１００から第２の画像が投射される被投射面として、スクリーン８０を例に挙げて示したが、スクリーンに限定されず、第２の画像が表示できるものであれば、被投射面は、どのようなものであっても良いということは勿論である。
【産業上の利用可能性】
【００９６】
また、液晶装置本体及びプロジェクタ本体に用いられる液晶装置は、上述の図示例にのみ限定されるものではなく、本発明の要旨を逸脱しない範囲内において種々変更を加え得ることは勿論である。例えば、上述した液晶装置は、ＴＦＴ（薄膜トランジスタ）等のアクティブ素子（能動素子）を用いたアクティブマトリクス方式の液晶表示モジュールを例に挙げて説明したが、これに限らず、ＴＦＤ（薄膜ダイオード）等のアクティブ素子（能動素子）を用いたアクティブマトリクス方式の液晶表示モジュールであっても構わない。
【００９７】
さらに、液晶装置本体及びプロジェクタ本体には、液晶装置に限らず、エレクトロルミネッセンス装置、特に、有機エレクトロルミネッセンス装置、無機エレクトロルミネッセンス装置等や、プラズマディスプレイ（ＰＤＰ）装置、ＦＥＤ（Ｆｉｅｌｄ Ｅｍｉｓｓｉｏｎ Ｄｉｓｐｌａｙ）装置、ＳＥＤ(Ｓｕｒｆａｃｅ−Ｃｏｎｄｕｃｔｉｏｎ  Ｅｌｅｃｔｒｏｎ−Ｅｍｉｔｔｅｒ Ｄｉｓｐｌａｙ)装置、ＬＥＤ（発光ダイオード）表示装置、電気泳動表示装置、薄型のブラウン管または液晶シャッター等を用いた小型テレビを用いた装置などの各種の電気光学装置を用いても構わない。
【００９８】
また、電気光学装置は、半導体基板に素子を形成する表示用デバイス、例えばＬＣＯＳ（Liquid Crystal On Silicon）等であっても構わない。ＬＣＯＳでは、素子基板として単結晶シリコン基板を用い、画素や周辺回路に用いるスイッチング素子としてトランジスタを単結晶シリコン基板に形成する。また、画素には、反射型の画素電極を用い、画素電極の下層に画素の各素子を形成する。
【００９９】
また、電気光学装置は、片側の基板の同一層に、一対の電極が形成される表示用デバイス、例えばＩＰＳ（In-Plane Switching）や、片側の基板において、絶縁膜を介して一対の電極が形成される表示用デバイスＦＦＳ（Fringe Field Switching）等であっても構わない。
【図面の簡単な説明】
【０１００】
【図１】本実施の形態を示す表示装置付きプロジェクタを示す図。
【図２】図１の表示装置本体が回動され、プロジェクタ本体が駆動された状態を示す図。
【図３】図１のプロジェクタ本体の構成を示す図。
【図４】図３のプロジェクタ本体に用いられる液晶装置の平面図。
【図５】図４中のV-V線に沿って切断した液晶装置の断面図。
【図６】図１の表示装置本体の構成の概略を示す図。
【図７】図６の表示装置本体に設けられた液晶装置を示す断面図。
【図８】図１の表示装置本体の裏面に設ける反射部材の変形例を示す図。
【図９】表示装置付きプロジェクタをノートパソコンに適用した変形例を示す図。
【符号の説明】
【０１０１】
３０…表示装置本体、３０ｆ…表示画面、３０ｒ…裏面、６０…支持部材、６１…収容部、７０…表示切換手段、８０…スクリーン、９０…キーボード、１００…表示装置付きプロジェクタ、１００ｈ…機器本体、１５０…反射部材、１９０…タッチパネル、２５０…反射部材、３００…ノートパソコン、３００ｈ…機器本体、１１００…プロジェクタ本体、Ｐ…投射方向。
【図１】
2008233599.tif 000003
【図２】
2008233599.tif 000004
【図３】
2008233599.tif 000005
【図４】
2008233599.tif 000006
【図５】
2008233599.tif 000007
【図６】
2008233599.tif 000008
【図７】
2008233599.tif 000009
【図８】
2008233599.tif 000010
【図９】
2008233599.tif 000011